(57)【要約】      （修正有）【課題】粉砕装置から出て行く粒子の流れ上の静電気帯電のため、微小粒子がコーヒー粉砕装置の表面に堆積するのを防止する。【解決手段】コーヒー豆グラインダー１０は、粉砕装置１２、ホッパー１４、及び電気的接地接点５０を含む。ホッパー１４は、粉砕装置１２にコーヒー豆３８を供給するように粉砕装置１２に対して配置される。容器２０は、粉砕装置１２によって挽かれたコーヒー豆２２を受取るためにある。容器２０は、導電性材料を含み、粉砕装置１２から挽かれたコーヒー豆２２を受取る位置から取外し可能である。電気的接地接点５０は、電気的接続で接地（アース）されており、容器２０が粉砕装置１２から挽かれたコーヒー豆２２を受取るときに、電気的接地接点５０が容器２０に接触するように粉砕装置１２に対して配置されている。【選択図】図１
2019069140.tif 000002
【特許請求の範囲】
【請求項１】
粉砕装置と、
前記粉砕装置にコーヒー豆を供給するように前記粉砕装置に対して配置されたホッパーと、
前記粉砕装置により挽かれたコーヒー豆を受取るための容器とを具え、該容器は導電性材料を具え、前記粉砕装置から挽かれたコーヒー豆を受取るようにされた位置から取外し可能であり、
大地と電気的に接続されて、前記粉砕装置に対して配置された電気的接地接点を有し、前記容器が粉砕装置から挽かれたコーヒー豆を受取るようになっているとき、前記電気的接地接点が前記容器に接触するようになっている、
コーヒー豆グラインダー。
【請求項２】
前記粉砕装置が位置付けられたハウジングを更に有し、前記電気的接地接点が前記ハウジングから延びている、請求項１のコーヒー豆グラインダー。
【請求項３】
前記電気的接地接点が、前記粉砕装置の挽かれたコーヒーの放出部からずらされていて、前記放出部を通る挽かれたコーヒー豆が前記電気的接地接点に接触しないようにされている、請求項１のコーヒー豆グラインダー。
【請求項４】
前記電気的接地接点が前記挽かれたコーヒーの放出部の下に位置する、請求項３のコーヒー豆グラインダー。
【請求項５】
前記容器が導電性材料からなるカップを含む、請求項１のコーヒー豆グラインダー。
【請求項６】
前記容器が前記粉砕装置から挽かれたコーヒー豆を受取るようになっているとき、前記カップが前記電気的接地接点に接触する、請求項５のコーヒー豆グラインダー。
【請求項７】
前記容器が前記粉砕装置から挽かれたコーヒー豆を受取るようになっているとき、前記カップの側壁が前記電気的接地接点に接触する，請求項６のコーヒー豆グラインダー。
【請求項８】
前記装置が位置付けられるハウジングを更に有し、
前記ハウジングがフードと該フードから延びる整列部を有し、前記挽かれたコーヒーの放出部が前記整列部を通じて延び、
前記容器が前記カップ上へ適合して蓋開口を定める蓋を有し、
前記蓋開口は前記整列部と形状が補足し合うもので、前記容器が前記粉砕装置から挽かれたコーヒー豆を受取るようになっているとき、前記整列部を受け入れ、前記カップの側壁が前記電気的接地接点に接触している、請求項７のコーヒー豆グラインダー。
【請求項９】
前記整列部から、離れて隣り合うフードから下向きに延びている突起を更に有し、前記容器が前記粉砕装置から挽かれたコーヒー豆を受取るとき前記突起が前記蓋に接触し、前記カップの側壁が前記電気的接地接点に接触している、請求項８のコーヒー豆グラインダー。
【請求項１０】
前記容器が前記粉砕装置から挽かれたコーヒー豆を受取るようになっているとき、前記カップのベースが前記電気的接地接点に接触する、請求項６のコーヒー豆グラインダー。
【請求項１１】
前記容器が、導電性材料からなるフィンと該フィンと電気的に接続された容器接点を含み、前記容器が前記粉砕装置から挽かれたコーヒー豆を受取るときに、前記容器接点が前記電気的接地接点に接触する、請求項１のコーヒーグラインダ―。
【請求項１２】
請求項１のコーヒー豆グラインダーと組合わされた、コーヒーを淹れる機械。
【請求項１３】
挽かれたコーヒー豆が粉砕装置から放出される放出部を含んでいる粉砕装置、
前記粉砕装置にコーヒー豆を供給するための粉砕装置に対して配置されたホッパー、そして、
大地に電気的に接続されて、前記挽かれたコーヒーの放出部を通過している挽かれたコーヒー豆が前記電気的接地接点に接触しないように前記挽かれたコーヒーの放出部に対して配置される電気的接地接点とを有する、
コーヒー豆グラインダー。
【請求項１４】
前記粉砕装置が位置付けされるハウジングを更に有し、前記電気的接地接点が、外向きに該ハウジングの外壁から延びる、請求項１３のコーヒー豆グラインダー。
【請求項１５】
前記電気的接地接点が前記挽かれたコーヒーの放出部の下に位置する、請求項１３のコーヒー豆グラインダー。
【請求項１６】
前記粉砕装置から挽かれたコーヒー豆を受取るようにされた容器を更に具え、該容器は前記挽かれたコーヒー豆を受取る位置から取外し可能である、請求項１３のコーヒー豆グラインダー。
【請求項１７】
前記容器が導電性材料を含み、前記電気的接地接点が前記粉砕装置に対して配置され、前記容器が前記粉砕装置から挽かれたコーヒー豆を受取るとき、前記電気的接地接点が前記容器の前記導電性材料に接触する、請求項１６のコーヒー豆グラインダー。
【請求項１８】
前記容器が導電性材料からなるカップ、および該カップ上へ適合する取外し可能な蓋を有する、請求項１７のコーヒー豆グラインダー。
【請求項１９】
前記容器が前記粉砕装置から挽かれたコーヒー豆を受取るときに、前記カップが前記電気的接地接点に接触する、請求項１８のコーヒー豆グラインダー。
【請求項２０】
前記容器が前記粉砕装置から挽かれたコーヒー豆を受取るときに、前記カップの側壁が前記電気的接地接点に接触する、請求項１９のコーヒー豆グラインダー。
【発明の詳細な説明】
【技術分野】
【０００１】
コーヒー豆グラインダーは、典型的に、コーヒー豆が粉砕装置に送られるように配置されるホッパーを有する。粉砕装置は、コーヒー豆を挽いて、挽かれたコーヒー豆を容器に送る。容器は、フィルター・バスケットまたは類似の入れ物のように、コーヒーを淹れる機械の一部であり得る。コーヒー豆グラインダーは、コーヒーを淹れる機械とは別に製造されることもでき、その場合、挽いたコーヒーは、容器から取り出されて、フィルター・バスケットに注ぎ込まれる。
【背景技術】
【０００２】
粉砕装置から出て行く粒子の流れ上の静電気帯電のため、微小粒子がコーヒー粉砕装置の表面に堆積することがある。粉砕装置を出る挽いたコーヒーおよびその他の粒子に与えられる静電気帯電を消す試みは、数多くあるが、それは、粉砕装置を出て行く粒子を、接地させられた導電性材料の上を通過・接触させることによっている。静電気帯電を消すかまたは緩和する改善は可能である。
【発明の概要】
【０００３】
前述の記載に鑑み、本発明のコーヒー豆グラインダーは、粉砕装置、ホッパー、容器、そして、電気的接地接点を含む。粉砕装置にコーヒー豆を供給するために粉砕装置に対して、ホッパーが配置される。容器は、粉砕装置によって挽かれたコーヒー豆を受取るためにある。容器は、導電性材料を含み、容器が粉砕装置から挽かれたコーヒー豆を受取るようになっている位置から取外し可能である。電気的接地接点は、電気的に大地に接続され、容器が粉砕装置から挽かれたコーヒー豆を受取るようになっているときに、電気的接点が容器に接触するように、粉砕装置に対して配置される。
【０００４】
コーヒー豆グラインダーの他の実施例は、粉砕装置、ホッパー、そして、電気的接地接点を含む。粉砕装置は、挽かれたコーヒー豆が粉砕装置から放出される挽いたコーヒーの放出部を含む。電気的接地接点は、大地と電気的に接続されていて、放出部を通過する挽かれたコーヒー豆が電気的接地接触に接触しないように、挽いたコーヒーの放出部に対して配置される。
【図面の簡単な説明】
【０００５】
【図１】図１は、コーヒー豆グラインダーの模式図である。
【０００６】
【図２】図２は、図１において、模式的に表されたコーヒー豆グラインダーの実施例の斜視図である。
【０００７】
【図３】図３は、容器を透明で示した、図２のコーヒー豆グラインダーの斜視図である。
【０００８】
【図４】図４は、コーヒー豆グラインダーの容器の蓋の異なる態様を示す。
【発明を実施するための形態】
【０００９】
図１は、粉砕装置１２を含むコーヒー豆グラインダー１０を模式的に表し、ホッパー１４、ユーザー・インターフェース１６、コントローラ１８、そして、容器２０が含まれる。挽かれたコーヒー豆２２（図１において、模式的に表されている）および粉砕装置１２を出て行くその他の微小粒子上の静電気帯電を最小化するかまたは消すように、コーヒー豆グラインダー１０は、設計されている。図２および３は、コーヒー豆グラインダー１０のより具体的な実施例を示すが、コーヒー豆グラインダー１０は、他の形状および構成にすることもできる。このように、コーヒー豆グラインダー１０は、図２および３に示される構成だけに限られない。
【００１０】
粉砕装置１２は、粉砕機構３４に作動連結される出力軸３２を有するモーター３０を含む。モーター３０は電源（図示せず）から電気出力を受取る。そして、モーター３０に対する電気の流れはコントローラ１８により制御される。粉砕機構３４は、バー(burr)、粉砕輪、または所望の粉状の物質にコーヒー豆を挽くために用いることができる他のタイプの周知の機構を含むことができる。概して、１つのバーがモーター３０によって押しやられ、他のバーまたは粉砕輪が可動バーに対して静止している。ギヤ・ボックスまたは他の周知のタイプの動力伝達部が、周知のコーヒー豆グラインダーと同じく、モーター３０とバーの間に設けられることができる。粉砕装置１２は、挽かれたコーヒー豆２２が容器２０の方へ粉砕装置１２から放出される挽いたコーヒーの放出部３６も具えることができる。
【００１１】
粉砕装置１２にコーヒー豆３８（図１に模式的に表される）を供給するため、粉砕装置１２に対して、ホッパー１４が配置される。図示の実施例では、コーヒー豆３８がホッパー１４から粉砕装置１２まで重力により供給されることができるように、ホッパー１４は粉砕装置１２より垂直上方に配置されている。
【００１２】
ユーザー・インターフェース１６は、コーヒー豆グラインダー１０のオペレータに可視であるように、コーヒー豆グラインダー１０用のハウジング４０に設けられている。ユーザー・インターフェース１６は、コーヒー豆グラインダー１０のユーザーに情報を示すためのディスプレイ４２を含むことができる。ユーザー・インターフェース１６は、ユーザー入力デバイス４４、例えば、ボタン、選択ノブ、クリック・ホイールまたはその他の類似の装置を具えて、それらは、ユーザーにより押圧されたり、接触されたりして、操作され、ユーザー・インターフェース１６を通じて、コーヒー豆グラインダー１０のコントローラ１８にコマンドを入力することができる。
【００１３】
コントローラ１８は、ユーザー・インターフェース１６およびモーター３０と電気通信可能になっている。コントローラ１８は、ユーザー・インターフェース１６およびモーター３０の作動を制御する。
【００１４】
図１および３は、粉砕装置１２により挽かれたコーヒー豆が容器２０に送られるように、容器２０が粉砕装置１２に対して配置される場合の容器２０を示す。図１を参照すると、容器２０は挽いたコーヒーの放出部３６の下に配置されて、粉砕装置１２から挽かれたコーヒー豆２２を受取る。図３は、挽いたコーヒーの放出部３６の下方に配置されて粉砕装置１２から挽かれたコーヒー豆２２を受取る容器２０（図２，３の実施例に対応）を示すが、上述したように、  コーヒー豆グラインダーは、別の形態も採り得る。容器２０が粉砕装置１２に対して配置されて粉砕装置１２から挽かれたコーヒー豆２２を受取る位置から、容器２０は取外し可能である。例えば、挽き操作の後、コーヒーを淹れる機械（後述する）のフィルター・バスケットの方に、挽かれたコーヒー豆は、容器２０の中で送られることができる。替わりの構成において、容器２０は、コーヒーを淹れる機械のフィルター・バスケットであり得、容器２０およびコーヒー豆グラインダー１０は、コーヒーを淹れる機械の一部であり得る。
【００１５】
コーヒー豆グラインダー１０は、導電路５４を介して、電気的接地５２である、電気的接地接点５０を含む。電気的接地接点５０は、ばね鋼または他のいかなる導電性材料からも作られることが可能である。導電路５４は、コーヒー豆グラインダー１０のハウジング４０内に配置されるワイヤおよび他の導電性材料からなることができる。導電路５４は、電源コード（図示せず）を具えることができ、それは、従来の壁付きコンセントにつなげるものであり得る。導電路５４は、上述した電源コードの先端にある、電源プラグの接地用突起につながれたワイヤを電源コードに含むことができる。
【００１６】
容器２０が粉砕装置１２から挽かれたコーヒー豆を受取るようになっているとき、電気的接地接点５０が容器２０に接触する（例えば、物理的に、接触する）ように、粉砕装置１２に対して、電気的接地接点５０は配置される。粉砕装置１２（図２では見えない。）が位置するハウジング４０から離れて延びている電気的接地接点５０を、図２は、示す。図２に示される電気的接地接点５０は、表面上離れてハウジング５６の前方の外壁５８から延びる。電気的接地接点５０は、ハウジング５６および粉砕装置１２に対して他の場所に位置できる。図１は、電気的接地接点５０の替わりの場所（図１の破線で示される）を示す。
【００１７】
放出部３６を通過している挽かれたコーヒー豆２２が電気的接地接点５０に接触しないように、電気的接地接点５０は粉砕装置１２の挽いたコーヒーの放出部３６から離されている。電気的接地接点５０は、挽いたコーヒーの放出部３６の下に位置できる。あるいは、電気的接地接点５０は、挽いたコーヒーの放出部３６から離されて位置でき、必ずしも、挽いたコーヒーの放出部３６の下になければならないというわけではない。
【００１８】
図２を参照すると、容器２０は、カップ７０および蓋７２（それはカップ７０から選択的に取外し可能である）を含むことができる。蓋７２は、カップ７０上へ適合することができ、かくして、蓋開口７４が定められ、図１にあるように、挽かれたコーヒー豆２２を受け入れるが、挽いたコーヒーの放出部３６から、カップ７０によって集められるように、粉砕装置１２からカップ７０へ放出され集められる。カップ７０は、導電性材料（例えば、金属）から作られることが可能である。容器２０が粉砕装置１２から挽かれたコーヒー豆２２（図１）を受取るようになっているとき、カップ７０は電気的接地接点５０に接触できる。より詳しくは、図１の実線に示される電気的接地接点５０のために示される粉砕装置１２から挽かれたコーヒー豆２２を受取るように容器２０が配置されるとき、カップ７０の側壁７６は電気的接地接点５０に接触できる。あるいは、容器２０が粉砕装置１２から挽かれたコーヒー豆を受取るようにされているとき、カップ７０のベース７８が電気的接地接点５０に接触できる。それは、図１の破線において表される電気的接地接点５０の一番下のもので示されている。
【００１９】
図３において、容器２０がどのようにハウジング４０および電気的接地接点５０と協働するかについて示すために、容器２０は透明に示されている。容器２０が粉砕装置１２から挽かれたコーヒー豆２２（図１）を受取るようにされる場合を図３は示している。電気的接地接点５０は、図３において見得る。しかしながら、それは、カップ７０の外側にあって、カップ７０が不透明材料から作られる場合（図２参照）は、見えない。
【００２０】
図３は、容器２０が粉砕装置１２から挽かれたコーヒー豆２２（図１参照）を受取るように配置される容器２０の上部に配置されるフード８２を含むハウジング４０を示す。整列部８４は、フード８２から下向きに延びている。挽いたコーヒーの放出部３６は、整列部８４を通って延びている。蓋開口７４は、形状において整列部８４に相補的であり、例えば、開口７４の少なくとも一部の周辺の形状および輪郭は整列部８４の少なくとも一部の周辺に合っている。かくして、容器２０が粉砕装置１２（図１）から挽かれたコーヒー豆２２（図１）を受取る位置に置かれるとき、蓋開口７４は整列部８４を受け入れる。そして、カップ７０の側壁７６は電気的接地接触５０に接触している。カップ７０、蓋７２、フード８２、整列部８４と挽いたコーヒーの放出部３６の位置間の協力は、挽いたコーヒーの放出部３６を通過する挽かれたコーヒー豆２２（図１参照）が周りに漏れ出ることを阻止する。導電性材料から作られたカップ７０が電気的接地接点５０と電気的に接続された状態で、挽いたコーヒーの放出部３６により放出される挽かれたコーヒー豆２２（図１参照）は、カップ７０に接触する。このようにして、挽かれたコーヒー豆がカップ７０において集められると同時に、静電気帯電が消される。
【００２１】
蓋７２を保持して、容器が適切に位置していると触覚フィードバックをオペレータに提供するために、突起８６が、整列部８４および挽いたコーヒーの放出部３６に隣接してずらされたフード８２から下向きに延びている。容器２０が粉砕装置１２から挽かれたコーヒー豆２２（図１）を受取るようにされているとき、突起８６は蓋７２に接触する。そして、カップ７０の側壁７６が電気的接地接触５０に接触している（例えば、物理的に接触させられている）。
【００２２】
蓋７２も、導電性材料（例えば、金属）で作られることができる。あるいは、容器２０の蓋７２は、誘電物質（例えば、プラスチック）から作られることも可能である。蓋７２が導電性材料から作られる場合、電気的接地接点５０は、挽いたコーヒーの放出部３６の下に配置される必要がなく、その替わりに、挽いたコーヒーの放出部３６から離されてはいるが、その隣に配置されることができる。このような実施例では。蓋７２は、挽いたコーヒーの放出部３６の下ではないが、それに隣接して配置される電気的接地接点５０に接触できる。例えば、図１の破線に示される電気的接地接点５０の一番上のものに、蓋７２は接触することができる。また、突起８６が位置する（図３を参照）所に、電気的接地接触５０は位置できるであろう。
【００２３】
上記したように、容器２０がコーヒーを淹れる機械のフィルター・バスケットであり得たように、コーヒー豆グラインダー１０はコーヒーを淹れる機械の一部であり得る。この構成では、熱水源９０が容器２０に熱水を供給するために設けられることができ、その容器は、フィルタ（例えば、従来の濾紙）を保持するフィルター・バスケットであり、あるいは、容器２０は、スクリーン式の再使用可能なフィルタの形でもあり得る。容器２０は、液コーヒー（それは容器２０の挽いたコーヒーを通過したもの）が、カラフ９２または類似の容器に移ることができる放出口を含むであろう。
【００２４】
容器２０のための替わりの蓋構成を、図４は示し、フィン９６は導電性材料からなり、容器接点９８はフィン９６と電気的接続になっている。容器２０が粉砕装置１２から挽かれたコーヒー豆を受取るようになっているときに、容器接点９８は蓋７２より上に延びて、電気的接地接点５０に接触する。この蓋配置を使用するときの、一番上の電気的接地接点５０が図１に破線で示されているが、あるいは、突起８６の位置（図３を参照）に、電気的接地接点５０の位置を決めてもよいであろう。容器接点９８と電気的接地接点５０を電気的に接続して、コーヒーの放出部３６から放出される挽かれたコーヒー豆２２がカップ７０の中に配置されるフィン９６に接するようにし、かくして、挽かれたコーヒー豆が、カップ７０において集められると同時に、静電気帯電が消されることができる。
【００２５】
コーヒー豆グラインダーが、詳細に上述された。修正および変更が、以上の詳細な説明を読んで、理解すれば、即座に、生じるであろう。しかしながら、本発明は、上記の実施例だけに限られない。そうではなく、本発明は、添付の請求の範囲およびその等価物によって、全体として、定められるものである。
【符号の説明】
【００２６】
１０    コーヒー豆グラインダー
１２    粉砕装置
１４    ホッパー
２０    容器
３６    挽かれたコーヒーの放出部
５０    電気的接地接点
７２    容器蓋
【図１】
2019069140.tif 000003
【図２】
2019069140.tif 000004
【図３】
2019069140.tif 000005
【図４】
2019069140.tif 000006